(57)【要約】      （修正有）【課題】パソコンを使用せず、一般に広く普及している外部情報機器であるスマートフォンを健康管理ツールとして利用し、更には様々なプラットフォームのスマートフォンと容易にアクセス可能とし、多くの人が使える便利な健康管理機器及び健康管理方法を提供する。【解決手段】生体情報センサ１０と演算手段２１と不揮発メモリ３０と通信手段２２と入力手段５０とを備えた健康管理機器１において、前記通信手段２２は外部情報機器８０と通信を行うための非ＮＤＥＦ通信機能ＰとＮＤＥＦ通信機能Ｎとからなる通信モード部２３を具備すると共に、機種判定手段２４とＰ・Ｎ機能選択手段２５とを具備する。【選択図】図１
2020197816.tif 000002
【特許請求の範囲】
【請求項１】
生体情報センサ１０と、演算手段２１と、不揮発メモリ３０と、通信手段２２と、入力手段５０とを備えた健康管理機器１において、前記通信手段２２は、外部情報機器８０と通信を行うための非ＮＤＥＦ通信機能Ｐと、ＮＤＥＦ通信機能Ｎとを有する通信モード部２３を備えたことを特徴とする健康管理機器。
【請求項２】
前記通信手段２２は、更に機種判定手段２４と、Ｐ・Ｎ機能選択手段２５とを備え、該機種判定手段２４は、前記通信モード部２３に非ＮＤＥＦ通信機能Ｐを指定するＰ指定信号Ｓ７ａと、前記Ｐ・Ｎ機能選択手段２５に前記非ＮＤＥＦ通信機能Ｐ又は前記ＮＤＥＦ通信機能Ｎの何れかの選択を指示する選択指示信号Ｓ７とを送出できるようにしたことを特徴とする請求項１に記載の健康管理機器。
【請求項３】
前記機種判定手段２４における前記Ｐ指定信号Ｓ７ａは、前記入力手段５０からの設定データＳ２に基づき前記通信モード部２３の非ＮＤＥＦ通信機能Ｐを指定するように構成したことを特徴とする請求項２に記載の健康管理機器。  
【請求項４】
前記Ｐ・Ｎ機能選択手段２５は、前記機種判定手段２４からの前記選択指示信号Ｓ７に基づき、通信モード部２３の非ＮＤＥＦ通信機能Ｐ又はＮＤＥＦ通信機能Ｎの何れかを選択するように構成したことを特徴とする請求項３に記載の健康管理機器。  
【請求項５】
生体情報を取得する生体情報取得ステップと、演算ステップと、記憶ステップと、外部情報機器と通信を行うための非ＮＤＥＦ通信機能ＰとＮＤＥＦ通信機能Ｎとからなる通信モード部を備えた通信ステップとを有し、該通信ステップは、前記外部情報機器の機種を判定する機種判定ステップと、非ＮＤＥＦ通信機能Ｐを指定するＰ指定ステップと、前記非ＮＤＥＦ通信機能Ｐ又は前記ＮＤＥＦ通信機能Ｎの何れかを選択するＰ・Ｎ選択ステップと、を有することを特徴とする健康管理機器における健康管理方法。  
【発明の詳細な説明】
【技術分野】
【０００１】
本発明は健康管理機器に関し、詳細には外部情報機器への測定結果の記録が簡単に行える健康管理機器及び健康管理方法に関する。
【背景技術】
【０００２】
一般家庭において、歩数計などの活動量計、血圧計、血糖計、体脂肪計などの健康管理機器が広く使用されている。そして、健康管理を行う上では、測定結果を継続して記録することが望ましい。
そのため、健康管理機器によって測定した結果をパソコンに入力し健康管理に役立てる技術が下記の特許文献１に開示されている。
【０００３】
特許文献1に開示された健康データ収集システム及び健康データ収集装置においては、歩数計、電子体温計、体重計、体脂肪計、血圧計などの健康計測器が計測した計測データを、電波や赤外線によって健康データ処理装置にワイヤレスで送信し、健康履歴データを一週間或いは一ヶ月の期間でグラフ化し健康管理を行う。
【先行技術文献】
【特許文献】
【０００４】
【特許文献１】特開２００３−３１０５５９号公報（特許請求の範囲、図１）
【発明の概要】
【発明が解決しようとする課題】
【０００５】
特許文献1の開示技術においては、健康計測機器群によって計測した各種データの管理にはパーソナルコンピュータが不可欠な構成となっている。パソコンは一般に高価で大掛かりである。またパソコンを所有していない一般家庭では、特許文献1に開示された方法での健康管理は行えないという問題点がある。
【０００６】
本発明の目的は上記した従来の健康データ収集システムが有する問題点を解決し、パソコンを使用せず、一般に広く普及している外部情報機器であるスマートフォンを健康管理ツールとして利用することにあり、更には様々なプラットフォームのスマートフォンと容易にアクセス可能とし、多くの人が使える便利な健康管理機器及び健康管理方法を実現することにある。
【課題を解決するための手段】
【０００７】
上記課題を解決するための本発明に係る健康管理機器及び健康管理方法の構成を詳述すれば、請求項１に係る発明は、生体情報センサと、演算手段と、不揮発メモリと、通信手段と、入力手段とを備えた健康管理機器において、前記通信手段は外部情報機器と通信を行うための非ＮＤＥＦ通信機能とＮＤＥＦ通信機能とを有する通信モード部を具備したことを特徴とする健康管理機器である。
【０００８】
次に、請求項２に係る発明は、前記通信手段は更に機種判定手段とＰ・Ｎ機能選択手段とを備え、該機種判定手段は、前記通信モード部に非ＮＤＥＦ通信機能を指定するＰ指定信号と、前記Ｐ・Ｎ機能選択手段に前記非ＮＤＥＦ通信機能又は前記ＮＤＥＦ通信機能の何れかの選択を指示する選択指示信号とを送出すようにしたことを特徴とする請求項１に記載の健康管理機器である。
【０００９】
また、請求項３に係る発明は、前記機種判定手段の前記Ｐ指定信号は、前記入力手段からの設定データに基づき前記通信モード部の非ＮＤＥＦ通信機能を指定するように構成したことを特徴とする請求項２に記載の健康管理機器である。
【００１０】
また、請求項４に係る発明は、前記Ｐ・Ｎ機能選択手段は、前記機種判定手段からの前記選択指示信号に基づき、通信モード部の非ＮＤＥＦ通信機能又はＮＤＥＦ通信機能の何れかを選択するように構成したことを特徴とする請求項３に記載の健康管理機器である。
【００１１】
さらに、請求項５に係る発明は、生体情報を取得する生体情報取得ステップと、演算ステップと、記憶ステップと、外部情報機器と通信を行うための非ＮＤＥＦ通信機能ＰとＮＤＥＦ通信機能Ｎとからなる通信モード部を備えた通信ステップとを有し、該通信ステップは、前記外部情報機器の機種を判定する機種判定ステップと、非ＮＤＥＦ通信機能Ｐを指定するＰ指定ステップと、前記非ＮＤＥＦ通信機能Ｐ又は前記ＮＤＥＦ通信機能Ｎの何れかを選択するＰ・Ｎ選択ステップとを有することを特徴とする健康管理機器における健康管理方法である。
【００１２】
なお、前記ＮＤＥＦは、一般に知られている「ＮＦＣ  Ｄａｔａ  Ｅｘｃｈａｎｇｅ  Ｆｏｒｍａｔ」の略であり、ＮＦＣ（Ｎｅａｒ  Ｆｉｅｌｄ  Ｃｏｍｍｕｎｉｃａｔｉｏｎ）のデータ通信におけるデータフォーマットのことである。
【発明の効果】
【００１３】
本発明に係る健康管理機器によれば、ＮＤＥＦ通信機能と非ＮＤＥＦ通信機能と備えているので様々なプラットフォームを有するスマートフォンや小型情報端末に対し、健康管理機器による測定結果を容易にアップロードが行える健康管理機器を実現できる。
【図面の簡単な説明】
【００１４】
【図１】本発明による健康管理機器の構成を示すブロック図である。
【図２】本発明による健康管理機器の外観を示す正面図である。
【図３】本発明による健康管理機器と外部情報機器とのシステム構成を示す外観図である。
【図４】本発明による健康管理機器及び健康管理方法の動作を示すフローチャートである。
【発明を実施するための形態】
【００１５】
[構成および動作の説明]
以下、図１から図４を用いて本発明に係る健康管理機器１の実施形態につき詳述するが、以下に示す実施形態は、本発明に係る健康管理機器を具体化するための一例を示すものであって、本発明は以下の実施形態に限定されるものではない。特に、実施形態に示されている各構成要素の相対的配置は、特定的な記載がない限り、本発明の範囲をそれのみに限定する趣旨ではなく、単なる説明例に過ぎないものである。また、図面が示す各構成部の大きさや位置関係等は説明を明確にするため誇張していることがある。
【００１６】
図１は健康管理機器の内部構成を説明するブロック図であり、図中１は健康管理機器１の全体を示す。健康管理機器１は生体情報を検出する生体情報センサ１０と、マイクロプロセッサ２０と、メモリ３０と、表示手段４０と、入力手段５０と、アンテナ６０と、電池７０とから構成される。また、外部情報機器８０と破線で示す通信用磁界Ｗとについては後述する。
【００１７】
生体情報センサ１０は、身体の活動量や歩数を検出する加速度センサまたは血圧を測定する圧力センサあるいは体温を測定する温度センサ等であり、計測結果である生体信号Ｓ１を出力する。
【００１８】
次に、マイクロプロセッサ２０は、演算手段２１と通信手段２２とをソフトウエアの形で具備すると共に健康管理機器１の全体を制御する作用をなす。
【００１９】
演算手段２１は、生体情報センサ１０からの生体信号Ｓ１に基づき身体の活動量、歩数、血圧、体温などの生体データを演算し、生体データＳ４として出力する。
【００２０】
図１において破線で表示した通信手段２２は、演算手段２１から出力される生体データＳ４と、後述するアンテナ６０から出力されるフォーマットデータＳ８とに基づき、健康管理機器１と外部情報機器８０との通信モードが、後述する通信モード部２３が備える非ＮＤＥＦ通信機能Ｐ又はＮＤＥＦ通信機能Ｎの何れに該当するかを決定し、生体データＳ４に当該通信モードを備えた所定通信形式データＳ６として出力し、後述するアンテナ６０に入力する。
【００２１】
メモリ３０はフラッシュメモリで、生体データＳ４やカレンダー情報や健康管理機器１の設定条件等からなる諸データＳ３を記憶する。
【００２２】
表示手段４０は前記した各種生体データＳ４を表示するための液晶表示素子であるが有機ＥＬ等でもよいのは勿論である。
【００２３】
入力手段５０は、メカニカルスイッチで構成され、被験者の身体に関する各種データや、健康管理機器１における通信モードなどの機器設定に係る各種設定データＳ２をマイクロプロセッサ２０に入力する。
【００２４】
アンテナ６０はプリント配線板を用い、銅箔の回路パターンを矩形のコイル状にして形成したＮＦＣ（Ｎｅａｒ  Ｆｉｅｌｄ  Ｃｏｍｍｕｎｉｃａｔｉｏｎ）技術として知られている通信手段に基づくアンテナであって、外部情報機器８０から取得したフォーマットデータＳ８を機種判定手段２４に入力するとともに、所定通信形式データＳ６を外部情報機器８０に送信する。なお、所定通信形式データＳ６の詳細は後述する。
【００２５】
電池７０は本実施形態ではコイン型電池を用いたが、これに代えて二次電池を用いるようにしてもよいのは勿論である。
【００２６】
[通信手段の動作の説明］
次に、通信手段２２についてさらに詳述する。
通信手段２２は、通信モード部２３と、機種判定手段２４と、Ｐ・Ｎ機能選択手段２５とで構成される。
【００２７】
先ず、通信モード部２３は、演算手段２１からの生体データＳ４と、後述するＰ・Ｎ機能選択手段２５からのＰ・Ｎ指定信号Ｓ５と機種判定手段２４からのＰ指定信号Ｓ７ａに基づき、生体データＳ４のデータ形式を、健康管理機器１の通信手段２２と外部情報機器８０との通信に適した通信モードに設定し、所定通信形式データＳ６として出力すると共に、アンテナ６０に入力する。  
【００２８】
機種判定手段２４は、通信用磁界Ｗによって外部情報機器８０と通信手段２２との間で送受信されるフォーマットデータＳ８を解析し、通信手段２２と外部情報機器８０とのデータ送受信に適した通信モードを判定し、選択指示信号Ｓ７またはＰ指定信号Ｓ７ａの何れか一方を出力する。
【００２９】
さらに詳述すれば、機種判定手段２４からの選択指示信号Ｓ７は、Ｐ・Ｎ機能選択手段２５に入力され、Ｐ・Ｎ機能選択手段２５に対し通信モード部２３の非ＮＤＥＦ通信部Ｐ又はＮＤＥＦ通信部Ｎの何れかの選択を指示する。
【００３０】
Ｐ・Ｎ機能選択手段２５は選択指示信号Ｓ７に基づき、非ＮＤＥＦ通信部Ｐ又はＮＤＥＦ通信部Ｎの何れかを指定するＰ・Ｎ指定信号Ｓ５を通信モード部２３に入力する。
【００３１】
また、前記機種判定手段２４は、フォーマットデータＳ８の解析が行えなかった場合は選択指示信号Ｓ７を出力せず、入力手段５０からの設定データＳ２を入力してＰ指定信号Ｓ７ａを出力する。    
【００３２】
機種判定手段２４からのＰ指定信号Ｓ７ａは、通信モード部２３の非ＮＤＥＦ通信部Ｐに入力され、通信モード部２３は非ＮＤＥＦ通信部Ｐを選択する。
【００３３】
以上の動作を要約する。
機種判定手段２４は、フォーマットデータＳ８の解析が行えなかった場合は、入力手段５０によるマニュアル操作、すなわち、入力手段５０が出力する設定データＳ２により非ＮＤＥＦ通信部Ｐを指定し、機種判定手段２４においてフォーマットデータＳ８の解析が行えれば、Ｐ・Ｎ機能選択手段２５に選択指示信号Ｓ７を入力して、非ＮＤＥＦ通信部ＰあるいはＮＤＥＦ通信部Ｎ何れかの選択を行わせる。このように、本発明によれば健康管理機器１と外部情報機器８０との通信モードの設定が自動的に行なわれるのである。
【００３４】
次に、Ｐ・Ｎ機能選択手段２５の動作を詳述する。ＮＦＣフォーラムとして知られている業界標準団体が定める規定（ＩＳＯ／ＩＥＣ１８０９２、ＪＩＳＸ６３１９）によれば、ＮＦＣ通信フォーマットは、機器間で送受信されるフォーマットデータＳ８におけるシステムコードのサービス番号の規定は任意になっている。
【００３５】
一方で、ＮＦＣフォーラムでは、ＮＤＥＦ通信機能Ｎであればサービスコードは０ｘ０００ｂ又は０ｘ０００９を推奨する旨の記載があるので、本実施例においては、図１に示す通信モード部２３の非ＮＤＥＦ通信機能Ｐを指定するためにはサービス番号を０以外の値とし、サービス番号が０あれば通信モード部２３のＮＤＥＦ通信機能Ｎを指定する構成とした。なお、上記のサービス番号は別の値としても本発明における主旨を変更するものではない。
【００３６】
通信モード部２３は、Ｐ・Ｎ機能選択手段２５のＰ・Ｎ指定信号Ｓ５によって指定された非ＮＤＥＦ通信機能Ｐ又はＮＤＥＦ通信機能Ｎを、生体データＳ４の通信モードとして設定し、所定通信形式データＳ６としてアンテナ６０に入力し、アンテナ６０から通信用磁界Ｗによって外部情報機器８０に送信する。
【００３７】
本実施例では、通信モード部２３は、外部情報機器８０のプラットフォームが、例えばアンドロイド（登録商標）の場合は非ＮＤＥＦ通信機能Ｐを指定し、外部情報機器８０のプラットフォームがｉＯＳ（登録商標）の場合は、ＮＤＥＦ通信機能Ｎを指定する。
【００３８】
以上のように、外部情報機器８０のプラットホーム（ＯＳ）がアンドロイド（登録商標）の場合でもｉＯＳ（登録商標）の場合でも、健康管理機器１は外部情報機器８０と容易に交信できる。
【００３９】
〔健康管理機器１の外観図の説明：図２]
以下、健康管理機器１として歩数計を例に説明する。
図２に示す本発明の健康管理機器である歩数計１の正面図において、表示手段４０は歩数表示エリア４１と、アクティブ歩数表示エリア４２と、消費カロリ値表示エリア４３と、通信モード表示エリア４４と、当日の年月日時間等を示すカレンダー表示エリア４５とを具備している。歩数表示エリア４１は当日の累計歩数を示し、アクティブ歩数表示エリア４２は歩行の強度を示すＭｅｔｓ値が３以上の歩数を示す。消費カロリ値表示エリア４３は当日の累計消費カロリ値を示す。  
【００４０】
通信モード表示エリア４４は、健康管理機器１と外部情報機器８０との通信モードを示し、“Ｎ”が枠で囲まれていればＮＤＥＦ通信機能Ｎが通信モードとして作動中で、“Ｐ”が枠で囲まれていれば非ＮＤＥＦ通信機能Ｐが作動中であり、“Ｐ”、“Ｎ”何れも枠で囲まれていなければ、これら以外の通信モードであることを示す。図２の例では、ＮＤＥＦ通信モードが作動中であることを示している。
【００４１】
健康管理機器１は、入力手段５０の操作により、非ＮＤＥＦ通信機能を手動で指定することも可能であり、通信モード表示エリア４４の表示によって、非ＮＤＥＦ通信機能の指定を確認することができる。
【００４２】
〔システム構成の説明：図３〕
図３を用いて健康管理機器１と外部情報機器８０との使用方法を説明する。
外部情報機器８０としてｉＯＳ（登録商標）をプラットフォームとするスマートフォン８１や、アンドロイド（登録商標）をプラットフォームとするスマートフォン８２、あるいはウインドウズ（登録商標）をプラットフォームとするパーソナルコンピュータ８３のリーダライタ８３ａの何れであっても、これらの機器に健康管理機器１を概ね１０ｃｍ以内に近接させることによって、通信用磁界Ｗを通じて生体データの送受信を行うことができる。  
【００４３】
〔健康管理機器１の動作の説明：図４〕
次に、図４を用いて本発明に係る健康管理機器１の動作を説明する。
図４は本発明の健康管理機器１の動作を示すフロ−チャートである。
なお、以下の説明において非ＮＤＥＦ対応機種をＰ機種、ＮＤＥＦ対応機種をＮ機種と略記する。
【００４４】
＜処理ステップＱ１＞  
初めに歩数計（健康管理機器）１の入力手段５０を操作して、Ｐ機種かＮ機種かを歩数計１内部で決定する。Ｐ機種なら処理ステップＱ２を行い、Ｎ機種なら処理ステップＱ３を行う。  
【００４５】
＜処理ステップＱ２＞
歩数計（健康管理機器）１を外部情報機器８０に近接させ、外部情報機器８０がＰ機種か否かを判定し、Ｐ１であれば処理ステップＱ５を行い、Ｐ１でなければ、通信を終了し、例えば図２における表示手段４０の一部の表示を点滅させるなどの方法で、外部情報機器８０と通信が行えない旨を報知する。  
【００４６】
＜処理ステップＱ３＞
外部情報機器８０との通信モードがＮ機種と決定すると、歩数計（健康管理機器）１を外部情報機器８０に近接し送受信のデータを解析し、システムコードがＮ１か否かを判定し、Ｎ１であれば処理ステップＱ４を行い、Ｎ１でなければ、通信を終了し、図２における表示手段４０の一部の表示を点滅させるなどの方法で、外部情報機器８０と通信が行えない旨を報知する。
【００４７】
＜処理ステップＱ４＞
更に送受信のデータを解析し、サービスコードのサービス番号がＰ２、Ｎ２、又はそれ以外かを判定し、Ｐ２（本実施例では０以外の値）であれば処理ステップＱ６を行い、Ｎ２（本実施例では０）であれば処理ステップＱ７を行い、それ以外ならば、図２における表示手段４０の一部の表示を点滅させるなどの方法で、外部情報機器８０と通信が行えない旨を報知する。  
【００４８】
以上のようにして、本発明に係る歩数計（健康管理機器）１は、外部情報機器８０が非ＮＤＥＦ通信による方式を備えた場合でも、またＮＤＥＦ通信による方式を備えた場合でも、外部情報機器８０と的確な通信を行うことが可能となる。
なお、以上述べた動作は本発明の実施形態の一例であって、本発明の主旨を損なわない範囲で変更可能である。
【００４９】
以上、詳述したように本発明に係る健康管理機器によれば、非ＮＤＥＦ通信機能とＮＤＥＦ通信機能と備えているので様々な形式のスマートフォンや小型情報端末の何れに対しても、各々のプラットフォーム（ＯＳ）が異なっていても、測定結果データのアップロードが容易に行える健康管理機器を提供することができる。なお、上記におけるコードの形式や名称等は現時点における例であって、今後別の形態になる可能性があるが、いずれの場合も本発明の範囲に含まれるのは勿論である。
【符号の説明】
【００５０】
１：健康管理機器
１０：生体情報センサ
２０：マイクロプロセッサ
２１：演算手段
２２：通信手段
２３：通信モード部
２４：機種判定手段
２５：Ｐ・Ｎ機能選択手段
３０：メモリ
４０：表示手段
４１：歩数表示エリア
４２：アクティブ歩数表示エリア
４３：消費カロリ値表示エリア
４４：通信モード表示エリア
４５：カレンダー表示エリア
５０：入力手段
６０：アンテナ
７０：電池
８０：外部情報機器
８１：スマートフォン
８２：スマートフォン
８３：パーソナルコンピュータ
８３ａ：リーダライタ
Ｓ１：生体信号
Ｓ２：設定データ
Ｓ３：諸データ
Ｓ４：生体データ
Ｓ５：Ｐ・Ｎ指定信号
Ｓ６：所定通信形式データ
Ｓ７：選択指示信号
Ｓ７ａ：Ｐ指定信号
Ｓ８：フォーマットデータ
Ｐ：非ＮＤＥＦ通信機能（非ＮＤＥＦ通信部）
Ｎ：ＮＤＥＦ通信機能（ＮＤＥＦ通信部）
Ｗ：通信用磁界
Ｑ１〜Ｑ６：処理ステップ
【図１】
2020197816.tif 000003
【図２】
2020197816.tif 000004
【図３】
2020197816.tif 000005
【図４】
2020197816.tif 000006
【手続補正書】
【提出日】令和1年10月29日(2019.10.29)
【手続補正１】
【補正対象書類名】特許請求の範囲
【補正対象項目名】全文
【補正方法】変更
【補正の内容】
【特許請求の範囲】
【請求項１】
生体情報センサ１０と、演算手段２１と、不揮発メモリ３０と、通信手段２２と、入力手段５０とを備えた健康管理機器１において、前記通信手段２２は、外部情報機器８０と通信を行うための非ＮＤＥＦ通信機能Ｐと、ＮＤＥＦ通信機能Ｎとを有する通信モード部２３を備えると共に、機種判定手段２４と、Ｐ・Ｎ機能選択手段２５とを備え、該機種判定手段２４は、前記通信モード部２３に非ＮＤＥＦ通信機能Ｐを指定するＰ指定信号Ｓ７ａと、前記Ｐ・Ｎ機能選択手段２５に前記非ＮＤＥＦ通信機能Ｐ又は前記ＮＤＥＦ通信機能Ｎの何れかの選択を指示する選択指示信号Ｓ７とを送出できるようにしたことを特徴とする健康管理機器。
【請求項２】
前記機種判定手段２４における前記Ｐ指定信号Ｓ７ａは、前記入力手段５０からの設定データＳ２に基づき前記通信モード部２３の非ＮＤＥＦ通信機能Ｐを指定するように構成したことを特徴とする請求項１に記載の健康管理機器。
【請求項３】
前記Ｐ・Ｎ機能選択手段２５は、前記機種判定手段２４からの前記選択指示信号Ｓ７に基づき、通信モード部２３の非ＮＤＥＦ通信機能Ｐ又はＮＤＥＦ通信機能Ｎの何れかを選択するように構成したことを特徴とする請求項２に記載の健康管理機器。
【請求項４】
生体情報センサ１０と、演算手段２１と、不揮発メモリ３０と、通信手段２２と、入力手段５０と、外部情報機器と通信を行うための非ＮＤＥＦ通信機能ＰとＮＤＥＦ通信機能Ｎとからなる通信モード部２３とを備えた健康管理機器１が実行する健康管理方法であって、該通信モード部２３は、前記外部情報機器の機種を判定する機種判定ステップと、非ＮＤＥＦ通信機能Ｐを指定するＰ指定ステップと、前記非ＮＤＥＦ通信機能Ｐ又は前記ＮＤＥＦ通信機能Ｎの何れかを選択するＰ・Ｎ選択ステップと、を実行することを特徴とする健康管理方法。
【手続補正２】
【補正対象書類名】明細書
【補正対象項目名】全文
【補正方法】変更
【補正の内容】
【発明の詳細な説明】
【技術分野】
【０００１】
本発明は健康管理機器に関し、詳細には外部情報機器への測定結果の記録が簡単に行える健康管理機器及び健康管理方法に関する。
【背景技術】
【０００２】
一般家庭において、歩数計などの活動量計、血圧計、血糖計、体脂肪計などの健康管理機器が広く使用されている。そして、健康管理を行う上では、測定結果を継続して記録することが望ましい。
そのため、健康管理機器によって測定した結果をパソコンに入力し健康管理に役立てる技術が下記の特許文献１に開示されている。
【０００３】
特許文献1に開示された健康データ収集システム及び健康データ収集装置においては、歩数計、電子体温計、体重計、体脂肪計、血圧計などの健康計測器が計測した計測データを、電波や赤外線によって健康データ処理装置にワイヤレスで送信し、健康履歴データを一週間或いは一ヶ月の期間でグラフ化し健康管理を行う。
【先行技術文献】
【特許文献】
【０００４】
【特許文献１】特開２００３−３１０５５９号公報（特許請求の範囲、図１）
【発明の概要】
【発明が解決しようとする課題】
【０００５】
特許文献1の開示技術においては、健康計測機器群によって計測した各種データの管理にはパーソナルコンピュータが不可欠な構成となっている。パソコンは一般に高価で大掛かりである。またパソコンを所有していない一般家庭では、特許文献1に開示された方法での健康管理は行えないという問題点がある。
【０００６】
本発明の目的は上記した従来の健康データ収集システムが有する問題点を解決し、パソコンを使用せず、一般に広く普及している外部情報機器であるスマートフォンを健康管理ツールとして利用することにあり、更には様々なプラットフォームのスマートフォンと容易にアクセス可能とし、多くの人が使える便利な健康管理機器及び健康管理方法を実現することにある。
【課題を解決するための手段】
【０００７】
上記課題を解決するための本発明に係る健康管理機器及び健康管理方法の構成を詳述すれば、請求項１に係る発明は、生体情報センサと、演算手段と、不揮発メモリと、通信手段と、入力手段とを備えた健康管理機器において、前記通信手段は、外部情報機器と通信を行うための非ＮＤＥＦ通信機能と、ＮＤＥＦ通信機能とを有する通信モード部を備えると共に、機種判定手段と、Ｐ・Ｎ機能選択手段とを備え、該機種判定手段は、前記通信モード部に非ＮＤＥＦ通信機能を指定するＰ指定信号と、前記Ｐ・Ｎ機能選択手段に前記非ＮＤＥＦ通信機能Ｐ又は前記ＮＤＥＦ通信機能Ｎの何れかの選択を指示する選択指示信号とを送出できるようにしたことを特徴とする健康管理機器である。
【０００８】
次に、請求項２に係る発明は、前記機種判定手段における前記Ｐ指定信号は、前記入力手段からの設定データに基づき前記通信モード部の非ＮＤＥＦ通信機能を指定するように構成したことを特徴とする請求項１に記載の健康管理機器である。
【０００９】
また、請求項３に係る発明は、前記Ｐ・Ｎ機能選択手段は、前記機種判定手段からの前記選択指示信号に基づき、通信モード部の非ＮＤＥＦ通信機能又はＮＤＥＦ通信機能の何れかを選択するように構成したことを特徴とする請求項２に記載の健康管理機器である。
【００１０】
さらに、請求項４に係る発明は、生体情報センサと、演算手段と、不揮発メモリと、通信手段と、入力手段と、外部情報機器と通信を行うための非ＮＤＥＦ通信機能とＮＤＥＦ通信機能とからなる通信モード部とを備えた健康管理機器が実行する健康管理方法であって、該通信モード部は、前記外部情報機器の機種を判定する機種判定ステップと、非ＮＤＥＦ通信機能Ｐを指定するＰ指定ステップと、前記非ＮＤＥＦ通信機能Ｐ又は前記ＮＤＥＦ通信機能Ｎの何れかを選択するＰ・Ｎ選択ステップと、を実行することを特徴とする健康管理方法である。
【００１１】
なお、前記ＮＤＥＦは、一般に知られている「ＮＦＣ  Ｄａｔａ  Ｅｘｃｈａｎｇｅ  Ｆｏｒｍａｔ」の略であり、ＮＦＣ（Ｎｅａｒ  Ｆｉｅｌｄ  Ｃｏｍｍｕｎｉｃａｔｉｏｎ）のデータ通信におけるデータフォーマットのことである。
【発明の効果】
【００１２】
本発明に係る健康管理機器によれば、ＮＤＥＦ通信機能と非ＮＤＥＦ通信機能と備えているので様々なプラットフォームを有するスマートフォンや小型情報端末に対し、健康管理機器による測定結果を容易にアップロードが行える健康管理機器を実現できる。
【図面の簡単な説明】
【００１３】
【図１】本発明による健康管理機器の構成を示すブロック図である。
【図２】本発明による健康管理機器の外観を示す正面図である。
【図３】本発明による健康管理機器と外部情報機器とのシステム構成を示す外観図である。
【図４】本発明による健康管理機器及び健康管理方法の動作を示すフローチャートである。
【発明を実施するための形態】
【００１４】
[構成および動作の説明]
以下、図１から図４を用いて本発明に係る健康管理機器１の実施形態につき詳述するが、以下に示す実施形態は、本発明に係る健康管理機器を具体化するための一例を示すものであって、本発明は以下の実施形態に限定されるものではない。特に、実施形態に示されている各構成要素の相対的配置は、特定的な記載がない限り、本発明の範囲をそれのみに限定する趣旨ではなく、単なる説明例に過ぎないものである。また、図面が示す各構成部の大きさや位置関係等は説明を明確にするため誇張していることがある。
【００１５】
図１は健康管理機器の内部構成を説明するブロック図であり、図中１は健康管理機器１の全体を示す。健康管理機器１は生体情報を検出する生体情報センサ１０と、マイクロプロセッサ２０と、メモリ３０と、表示手段４０と、入力手段５０と、アンテナ６０と、電池７０とから構成される。また、外部情報機器８０と破線で示す通信用磁界Ｗとについては後述する。
【００１６】
生体情報センサ１０は、身体の活動量や歩数を検出する加速度センサまたは血圧を測定する圧力センサあるいは体温を測定する温度センサ等であり、計測結果である生体信号Ｓ１を出力する。
【００１７】
次に、マイクロプロセッサ２０は、演算手段２１と通信手段２２とをソフトウエアの形で具備すると共に健康管理機器１の全体を制御する作用をなす。
【００１８】
演算手段２１は、生体情報センサ１０からの生体信号Ｓ１に基づき身体の活動量、歩数、血圧、体温などの生体データを演算し、生体データＳ４として出力する。
【００１９】
図１において破線で表示した通信手段２２は、演算手段２１から出力される生体データＳ４と、後述するアンテナ６０から出力されるフォーマットデータＳ８とに基づき、健康管理機器１と外部情報機器８０との通信モードが、後述する通信モード部２３が備える非ＮＤＥＦ通信機能Ｐ又はＮＤＥＦ通信機能Ｎの何れに該当するかを決定し、生体データＳ４に当該通信モードを備えた所定通信形式データＳ６として出力し、後述するアンテナ６０に入力する。
【００２０】
メモリ３０はフラッシュメモリで、生体データＳ４やカレンダー情報や健康管理機器１の設定条件等からなる諸データＳ３を記憶する。
【００２１】
表示手段４０は前記した各種生体データＳ４を表示するための液晶表示素子であるが有機ＥＬ等でもよいのは勿論である。
【００２２】
入力手段５０は、メカニカルスイッチで構成され、被験者の身体に関する各種データや、健康管理機器１における通信モードなどの機器設定に係る各種設定データＳ２をマイクロプロセッサ２０に入力する。
【００２３】
アンテナ６０はプリント配線板を用い、銅箔の回路パターンを矩形のコイル状にして形成したＮＦＣ（Ｎｅａｒ  Ｆｉｅｌｄ  Ｃｏｍｍｕｎｉｃａｔｉｏｎ）技術として知られている通信手段に基づくアンテナであって、外部情報機器８０から取得したフォーマットデータＳ８を機種判定手段２４に入力するとともに、所定通信形式データＳ６を外部情報機器８０に送信する。なお、所定通信形式データＳ６の詳細は後述する。
【００２４】
電池７０は本実施形態ではコイン型電池を用いたが、これに代えて二次電池を用いるようにしてもよいのは勿論である。
【００２５】
[通信手段の動作の説明］
次に、通信手段２２についてさらに詳述する。
通信手段２２は、通信モード部２３と、機種判定手段２４と、Ｐ・Ｎ機能選択手段２５とで構成される。
【００２６】
先ず、通信モード部２３は、演算手段２１からの生体データＳ４と、後述するＰ・Ｎ機能選択手段２５からのＰ・Ｎ指定信号Ｓ５と機種判定手段２４からのＰ指定信号Ｓ７ａに基づき、生体データＳ４のデータ形式を、健康管理機器１の通信手段２２と外部情報機器８０との通信に適した通信モードに設定し、所定通信形式データＳ６として出力すると共に、アンテナ６０に入力する。  
【００２７】
機種判定手段２４は、通信用磁界Ｗによって外部情報機器８０と通信手段２２との間で送受信されるフォーマットデータＳ８を解析し、通信手段２２と外部情報機器８０とのデータ送受信に適した通信モードを判定し、選択指示信号Ｓ７またはＰ指定信号Ｓ７ａの何れか一方を出力する。
【００２８】
さらに詳述すれば、機種判定手段２４からの選択指示信号Ｓ７は、Ｐ・Ｎ機能選択手段２５に入力され、Ｐ・Ｎ機能選択手段２５に対し通信モード部２３の非ＮＤＥＦ通信部Ｐ又はＮＤＥＦ通信部Ｎの何れかの選択を指示する。
【００２９】
Ｐ・Ｎ機能選択手段２５は選択指示信号Ｓ７に基づき、非ＮＤＥＦ通信部Ｐ又はＮＤＥＦ通信部Ｎの何れかを指定するＰ・Ｎ指定信号Ｓ５を通信モード部２３に入力する。
【００３０】
また、前記機種判定手段２４は、フォーマットデータＳ８の解析が行えなかった場合は選択指示信号Ｓ７を出力せず、入力手段５０からの設定データＳ２を入力してＰ指定信号Ｓ７ａを出力する。    
【００３１】
機種判定手段２４からのＰ指定信号Ｓ７ａは、通信モード部２３の非ＮＤＥＦ通信部Ｐに入力され、通信モード部２３は非ＮＤＥＦ通信部Ｐを選択する。
【００３２】
以上の動作を要約する。
機種判定手段２４は、フォーマットデータＳ８の解析が行えなかった場合は、入力手段５０によるマニュアル操作、すなわち、入力手段５０が出力する設定データＳ２により非ＮＤＥＦ通信部Ｐを指定し、機種判定手段２４においてフォーマットデータＳ８の解析が行えれば、Ｐ・Ｎ機能選択手段２５に選択指示信号Ｓ７を入力して、非ＮＤＥＦ通信部ＰあるいはＮＤＥＦ通信部Ｎ何れかの選択を行わせる。このように、本発明によれば健康管理機器１と外部情報機器８０との通信モードの設定が自動的に行なわれるのである。
【００３３】
次に、Ｐ・Ｎ機能選択手段２５の動作を詳述する。ＮＦＣフォーラムとして知られている業界標準団体が定める規定（ＩＳＯ／ＩＥＣ１８０９２、ＪＩＳＸ６３１９）によれば、ＮＦＣ通信フォーマットは、機器間で送受信されるフォーマットデータＳ８におけるシステムコードのサービス番号の規定は任意になっている。
【００３４】
一方で、ＮＦＣフォーラムでは、ＮＤＥＦ通信機能Ｎであればサービスコードは０ｘ０００ｂ又は０ｘ０００９を推奨する旨の記載があるので、本実施例においては、図１に示す通信モード部２３の非ＮＤＥＦ通信機能Ｐを指定するためにはサービス番号を０以外の値とし、サービス番号が０あれば通信モード部２３のＮＤＥＦ通信機能Ｎを指定する構成とした。なお、上記のサービス番号は別の値としても本発明における主旨を変更するものではない。
【００３５】
通信モード部２３は、Ｐ・Ｎ機能選択手段２５のＰ・Ｎ指定信号Ｓ５によって指定された非ＮＤＥＦ通信機能Ｐ又はＮＤＥＦ通信機能Ｎを、生体データＳ４の通信モードとして設定し、所定通信形式データＳ６としてアンテナ６０に入力し、アンテナ６０から通信用磁界Ｗによって外部情報機器８０に送信する。
【００３６】
本実施例では、通信モード部２３は、外部情報機器８０のプラットフォームが、例えばアンドロイド（登録商標）の場合は非ＮＤＥＦ通信機能Ｐを指定し、外部情報機器８０のプラットフォームがｉＯＳ（登録商標）の場合は、ＮＤＥＦ通信機能Ｎを指定する。
【００３７】
以上のように、外部情報機器８０のプラットホーム（ＯＳ）がアンドロイド（登録商標）の場合でもｉＯＳ（登録商標）の場合でも、健康管理機器１は外部情報機器８０と容易に交信できる。
【００３８】
〔健康管理機器１の外観図の説明：図２]
以下、健康管理機器１として歩数計を例に説明する。
図２に示す本発明の健康管理機器である歩数計１の正面図において、表示手段４０は歩数表示エリア４１と、アクティブ歩数表示エリア４２と、消費カロリ値表示エリア４３と、通信モード表示エリア４４と、当日の年月日時間等を示すカレンダー表示エリア４５とを具備している。歩数表示エリア４１は当日の累計歩数を示し、アクティブ歩数表示エリア４２は歩行の強度を示すＭｅｔｓ値が３以上の歩数を示す。消費カロリ値表示エリア４３は当日の累計消費カロリ値を示す。  
【００３９】
通信モード表示エリア４４は、健康管理機器１と外部情報機器８０との通信モードを示し、“Ｎ”が枠で囲まれていればＮＤＥＦ通信機能Ｎが通信モードとして作動中で、“Ｐ”が枠で囲まれていれば非ＮＤＥＦ通信機能Ｐが作動中であり、“Ｐ”、“Ｎ”何れも枠で囲まれていなければ、これら以外の通信モードであることを示す。図２の例では、ＮＤＥＦ通信モードが作動中であることを示している。
【００４０】
健康管理機器１は、入力手段５０の操作により、非ＮＤＥＦ通信機能を手動で指定することも可能であり、通信モード表示エリア４４の表示によって、非ＮＤＥＦ通信機能の指定を確認することができる。
【００４１】
〔システム構成の説明：図３〕
図３を用いて健康管理機器１と外部情報機器８０との使用方法を説明する。
外部情報機器８０としてｉＯＳ（登録商標）をプラットフォームとするスマートフォン８１や、アンドロイド（登録商標）をプラットフォームとするスマートフォン８２、あるいはウインドウズ（登録商標）をプラットフォームとするパーソナルコンピュータ８３のリーダライタ８３ａの何れであっても、これらの機器に健康管理機器１を概ね１０ｃｍ以内に近接させることによって、通信用磁界Ｗを通じて生体データの送受信を行うことができる。  
【００４２】
〔健康管理機器１の動作の説明：図４〕
次に、図４を用いて本発明に係る健康管理機器１の動作を説明する。
図４は本発明の健康管理機器１の動作を示すフロ−チャートである。
なお、以下の説明において非ＮＤＥＦ対応機種をＰ機種、ＮＤＥＦ対応機種をＮ機種と略記する。
【００４３】
＜処理ステップＱ１＞  
初めに歩数計（健康管理機器）１の入力手段５０を操作して、Ｐ機種かＮ機種かを歩数計１内部で決定する。Ｐ機種なら処理ステップＱ２を行い、Ｎ機種なら処理ステップＱ３を行う。  
【００４４】
＜処理ステップＱ２＞
歩数計（健康管理機器）１を外部情報機器８０に近接させ、外部情報機器８０がＰ機種か否かを判定し、Ｐ１であれば処理ステップＱ５を行い、Ｐ１でなければ、通信を終了し、例えば図２における表示手段４０の一部の表示を点滅させるなどの方法で、外部情報機器８０と通信が行えない旨を報知する。  
【００４５】
＜処理ステップＱ３＞
外部情報機器８０との通信モードがＮ機種と決定すると、歩数計（健康管理機器）１を外部情報機器８０に近接し送受信のデータを解析し、システムコードがＮ１か否かを判定し、Ｎ１であれば処理ステップＱ４を行い、Ｎ１でなければ、通信を終了し、図２における表示手段４０の一部の表示を点滅させるなどの方法で、外部情報機器８０と通信が行えない旨を報知する。
【００４６】
＜処理ステップＱ４＞
更に送受信のデータを解析し、サービスコードのサービス番号がＰ２、Ｎ２、又はそれ以外かを判定し、Ｐ２（本実施例では０以外の値）であれば処理ステップＱ６を行い、Ｎ２（本実施例では０）であれば処理ステップＱ７を行い、それ以外ならば、図２における表示手段４０の一部の表示を点滅させるなどの方法で、外部情報機器８０と通信が行えない旨を報知する。  
【００４７】
以上のようにして、本発明に係る歩数計（健康管理機器）１は、外部情報機器８０が非ＮＤＥＦ通信による方式を備えた場合でも、またＮＤＥＦ通信による方式を備えた場合でも、外部情報機器８０と的確な通信を行うことが可能となる。
なお、以上述べた動作は本発明の実施形態の一例であって、本発明の主旨を損なわない範囲で変更可能である。
【００４８】
以上、詳述したように本発明に係る健康管理機器によれば、非ＮＤＥＦ通信機能とＮＤＥＦ通信機能と備えているので様々な形式のスマートフォンや小型情報端末の何れに対しても、各々のプラットフォーム（ＯＳ）が異なっていても、測定結果データのアップロードが容易に行える健康管理機器を提供することができる。なお、上記におけるコードの形式や名称等は現時点における例であって、今後別の形態になる可能性があるが、いずれの場合も本発明の範囲に含まれるのは勿論である。
【符号の説明】
【００４９】
１：健康管理機器
１０：生体情報センサ
２０：マイクロプロセッサ
２１：演算手段
２２：通信手段
２３：通信モード部
２４：機種判定手段
２５：Ｐ・Ｎ機能選択手段
３０：メモリ
４０：表示手段
４１：歩数表示エリア
４２：アクティブ歩数表示エリア
４３：消費カロリ値表示エリア
４４：通信モード表示エリア
４５：カレンダー表示エリア
５０：入力手段
６０：アンテナ
７０：電池
８０：外部情報機器
８１：スマートフォン
８２：スマートフォン
８３：パーソナルコンピュータ
８３ａ：リーダライタ
Ｓ１：生体信号
Ｓ２：設定データ
Ｓ３：諸データ
Ｓ４：生体データ
Ｓ５：Ｐ・Ｎ指定信号
Ｓ６：所定通信形式データ
Ｓ７：選択指示信号
Ｓ７ａ：Ｐ指定信号
Ｓ８：フォーマットデータ
Ｐ：非ＮＤＥＦ通信機能（非ＮＤＥＦ通信部）
Ｎ：ＮＤＥＦ通信機能（ＮＤＥＦ通信部）
Ｗ：通信用磁界
Ｑ１〜Ｑ６：処理ステップ